(57)【特許請求の範囲】
【請求項１】
光透過性の透明部材と、
前記透明部材の裏面側に形成されたレーザー透過性の有色インク層と、
前記透明部材の裏面側に前記有色インク層を介在して設けられ、前記透明部材を透過したレーザーによって前記有色インク層と隣接した位置において前記透明部材に溶着された有色の裏面部材と、
を有する加飾エンブレム。
【請求項２】
光透過性の透明部材の裏面側にレーザー透過性の有色インク層を形成し、前記透明部材の裏面側に前記有色インク層を介在させて有色の裏面部材を重ね合わせ、レーザーを前記透明部材及び前記有色インク層を透過させて前記裏面部材に照射して前記透明部材と前記裏面部材とを溶着した、
ことを特徴とする加飾エンブレムの製造方法。
【発明の詳細な説明】
【技術分野】
【０００１】
本発明は、自動車等の車体に取り付けられる加飾エンブレム及びその製造方法に関する。
【背景技術】
【０００２】
自動車等の車体に取り付けられる加飾エンブレムでは、見栄えが向上し良好な意匠とするために、表面側の透明樹脂部材と裏面側の有色樹脂部材とを重ね合わせて接合した構成のものが知られている。
【０００３】
この種の加飾エンブレムにおいては、従来では一般的にレーザー溶着、超音波溶着、あるいは振動溶着等の接合方法が用いられて、前記両部材が接合されている（例えば、特許文献１参照）。
【０００４】
ところで、前述の如く透明樹脂部材と有色樹脂部材とを重ね合わせて溶着した場合に、裏面側の有色樹脂部材は、当然ながら表面側の透明樹脂部材を通して見えてしまう。ここで、透明樹脂部材と有色樹脂部材との間には、非溶着部分において、空気が侵入して白濁し、溶着部分と非溶着部分との境界（所謂、見切り）が不要に目立ってしまうことがあった。このため、透明樹脂部材が意匠面を構成する場合には、外観を損ねる要因となって不適切であり、改善の余地があった。
【特許文献１】ＷＯ  ２００５／０２１２４５号公報
【発明の開示】
【発明が解決しようとする課題】
【０００５】
本発明は上記事実を考慮し、透明部材を含む二つの部材を溶着して構成した場合に当該両部材の溶着部分と非溶着部分との境界が不要に目立って見栄えが悪化することがなく、良好な意匠を確保することが可能になる加飾エンブレム及びその製造方法を得ることが目的である。
【課題を解決するための手段】
【０００６】
請求項１に係る発明の加飾エンブレムは、光透過性の透明部材と、前記透明部材の裏面側に形成されたレーザー透過性の有色インク層と、前記透明部材の裏面側に前記有色インク層を介在して設けられ、前記透明部材を透過したレーザーによって前記有色インク層と隣接した位置において前記透明部材に溶着された有色の裏面部材と、を有している。
【０００７】
請求項１記載の加飾エンブレムでは、透明部材と、この透明部材の裏面側に形成された有色インク層と、透明部材の裏面側に有色インク層を介在して設けられた裏面部材と、を有しており、しかも、透明部材を透過したレーザーによって、有色インク層と隣接した位置において、透明部材と裏面部材とが溶着されている。
【０００８】
この場合、有色インク層と同色あるいは近似色で裏面部材を形成する構成とすれば、透明部材を通して裏面部材が見えても、溶着部分と非溶着部分との見切りが目立たなくなる。
【０００９】
したがって、透明部材が意匠面を構成する場合であっても、外観を損ねることが無くなる。また、有色インク層の形成範囲を適宜に設定することで任意の意匠に対応することができ、適用の範囲も拡大する。
【００１０】
このように、請求項１記載の加飾エンブレムでは、二つの部材の溶着部分と非溶着部分との境界が不要に目立って見栄えが悪化することがなく、良好な意匠を確保することが可能になる。
【００１１】
請求項２に係る発明の加飾エンブレムの製造方法は、光透過性の透明部材の裏面側にレーザー透過性の有色インク層を形成し、前記透明部材の裏面側に前記有色インク層を介在させて有色の裏面部材を重ね合わせ、レーザーを前記透明部材及び前記有色インク層を透過させて前記裏面部材に照射して前記透明部材と前記裏面部材とを溶着した、ことを特徴としている。
【００１２】
請求項２記載の加飾エンブレムの製造方法では、予め透明部材の裏面側にレーザー透過性の有色インク層を形成しておく。次いで、この有色インク層を介在させて有色の裏面部材を重ね合わせ、さらに、レーザーを透明部材及び有色インク層を透過させて裏面部材に照射することで、透明部材と裏面部材とが溶着される。
【００１３】
ここで、本製造方法において、有色インク層と同色あるいは近似色で裏面部材を形成する構成とすれば、透明部材を通して裏面部材が見えても、溶着部分と非溶着部分との見切りが目立たなくなる。
【００１４】
したがって、透明部材が意匠面を構成する場合であっても、外観を損ねることが無くなる。また、有色インク層の形成範囲を適宜に設定することで任意の意匠に対応することができ、適用の範囲も拡大する。
【００１５】
このように、請求項２記載の加飾エンブレムの製造方法では、二つの部材の溶着部分と非溶着部分との境界が不要に目立って見栄えが悪化することがなく、良好な意匠を確保することが可能になる。
【発明の効果】
【００１６】
請求項１に係る発明の加飾エンブレム及び請求項２に係る発明の加飾エンブレムの製造方法は、二つの部材の溶着部分と非溶着部分との境界が不要に目立って見栄えが悪化することがなく、良好な意匠を確保することが可能になるという優れた効果を有している。
【発明を実施するための最良の形態】
【００１７】
以下、図１を用いて、本発明の一実施形態について説明する。
【００１８】
図１には本発明の実施形態に係る加飾エンブレム１０の構成が断面図にて示されている。
【００１９】
加飾エンブレム１０は、透明部材１２、有色インク層１４、及び裏面部材１６を備えている。透明部材１２は、光透過性の樹脂材によって所定の意匠形状（例えば、正面視で楕円形状）に形成されており、表面側（意匠面側）に位置している。透明部材１２の裏面側周縁部分は溶着面とされており、有色インク層１４が設けられている。有色インク層１４は、レーザー透過性の有色インクによって、透明部材１２の裏面側周縁部に例えば印刷によって設けられている。
【００２０】
一方、裏面部材１６は、レーザー吸収性の有色樹脂材によって透明部材１２に対応した所定の形状に形成されており、透明部材１２の裏面側に有色インク層１４を介在して配置される。この裏面部材１６は、透明部材１２及び有色インク層１４を透過したレーザー（レーザー照射部分Ｓ）によって透明部材１２に溶着された構成となっている。
【００２１】
なお、本実施形態においては、有色インク層１４は「黒色」のインクによって設けられており、また、裏面部材１６は有色インク層１４と「同色あるいは近似色」の樹脂材によって形成されている。
【００２２】
以下に、本実施形態の作用並びに効果について、加飾エンブレム１０の製造方法と併せて説明する。
【００２３】
上記構成の加飾エンブレム１０を製造するに際しては、予め透明部材１２の裏面側にレーザー透過性の有色（本実施形態では黒色）のインクによって有色インク層１４を設けておく。次いで、この有色インク層１４を介在させて有色（本実施形態では黒色あるいは近似色）の裏面部材１６を重ね合わせ、さらに、レーザーを透明部材１２及び有色インク層１４を透過させて裏面部材１６に照射する（レーザー照射部分Ｓ）。これにより、有色インク層１４の形成範囲の一部において透明部材１２と裏面部材１６とが溶着される。
【００２４】
透明部材１２と裏面部材１６とが溶着される際には、溶着部分（レーザー照射部分Ｓ）において、有色インク層１４が裏面部材１６内に分散混入されて消失することで、透明部材１２の裏面側において、有色インク層１４と裏面部材１６とが隣接される。このため、透明部材１２と裏面部材１６とが溶着された際には、有色インク層１４が消失した溶着部分において透明部材１２を通して裏面部材１６が見えると共に、有色インク層１４が残存する非溶着部分（レーザー非照射部分）において透明部材１２を通して有色インク層１４が見える。
【００２５】
ここで、本製造方法による加飾エンブレム１０では、有色インク層１４と裏面部材１６とは同色あるいは近似色であるため、透明部材１２を通して裏面部材１６が見えても、溶着部分と非溶着部分との見切りが目立たなくなる。
【００２６】
したがって、加飾エンブレム１０において透明部材１２が意匠面を構成しても、外観を損ねることが無くなる。また、有色インク層１４の形成範囲を適宜に設定することで任意の意匠に対応することができ、適用の範囲も拡大する。
【００２７】
このように、本実施形態に係る加飾エンブレム１０及びその製造方法では、二つの部材の溶着部分と非溶着部分との境界が不要に目立って見栄えが悪化することがなく、良好な意匠を確保することが可能になる。
【００２８】
また、図２に示す加飾エンブレム２０の如く、裏面部材２６の周縁部分に凸状に突出する凸状部２８を形成し、この凸状部２８を透明部材２２の裏面側に有色インク層２４形成範囲の一部において溶着する構成、すなわち、凸状部２８の形成範囲にレーザーを照射して溶着する構成としてもよい。この場合であっても、透明部材２２を通して裏面部材２６が見えても、溶着部分（レーザー照射部分Ｓ）と非溶着部分との見切りが目立たなくなる。
【００２９】
したがって、この加飾エンブレム２０における透明部材２２が意匠面を構成しても、外観を損ねることが無くなる。
【００３０】
なお、本実施形態においては、透明部材１２の裏面側周縁部分に有色インク層１４を設けると共に裏面部材１６は透明部材１２及び有色インク層１４を透過したレーザーによって透明部材１２に溶着する構成としたが、これに限らず、裏面部材１６は、有色インク層１４と隣接した位置において透明部材１２を透過したレーザーによって透明部材１２に溶着されていれば良く、両部材の溶着部分の範囲及び有色インク層１４の範囲は適宜に設定・変更することができる。
【図面の簡単な説明】
【００３１】
【図１】本発明の実施形態に係る加飾エンブレムの構成を示す断面図である。
【図２】本発明の他の実施形態に係る加飾エンブレムの構成を示す断面図である。
【符号の説明】
【００３２】
１０    加飾エンブレム
１２    透明部材
１４    有色インク層
１６    裏面部材
２０    加飾エンブレム
２２    透明部材
２４    有色インク層
２６    裏面部材
２８    凸状部
【図１】
0005209985.tif 000002
【図２】
0005209985.tif 000003